(57)【要約】【課題】本発明は車椅子用テーブルにおいて片側一方を支持する形態の種類の中で載置部（テーブル）に垂直に強固な支持手段を設けること、および車椅子用テーブルの支持手段を保持する保持手段を車椅子に設置することのない手軽でかさばらない車椅子用テーブルを実現するものである。【解決手段】板状の載置部とこの載置部の一端に固着され車椅子のヒジ掛け部を把持する柄掴み手段とを備え、載置部の他端に車椅子のサイドガード板に支承される板掴み手段を備えた下支え部を設け接続する。【選択図】        図１
2005304743.tif 000002
【特許請求の範囲】
【請求項１】
板状の載置部とこの載置部の一端に固着され車椅子のヒジ掛け部を把持する柄掴み手段と、車椅子のサイドガード板に支承される板掴み手段を備えた下支え部を設け、この下支え部を上記載置部の他端に対し接続したことを特徴とする請求項１記載の車椅子用テーブル
【請求項２】
下支え部にこの下支え部と載置部の接続点から板掴み手段までの長さを調整できる調整手段を設けたことを特徴とする請求項１記載の車椅子用テーブル
【請求項３】
載置部の面積を拡張できるように載置部にスライド式あるいは折り畳み式の補助載置部を設けた事を特徴とする請求項１または請求項２記載の車椅子用テーブル
【発明の詳細な説明】
【技術分野】
【０００１】
本発明は、車椅子のヒジ掛け部を把持し、サイドガード板に支承される車椅子用テーブルに関するものである
【背景技術】
【０００２】
従来の車椅子用テーブルにおいて、片側一方を支持して車椅子にテーブル（載置部）を把持するものは載置部に垂直に強固な支持手段を設置し、その支持手段を保持する別部品を車椅子に固定設置するものである。（例えば特許文献１参照）
【０００３】
【特許文献１】特開２０００２−０７８７４４号公報（第７頁第１図）
【発明の開示】
【発明が解決しようとする課題】
【０００４】
載置部に強固な支持手段を垂直に設置するのは車椅子用テーブルの全体容積を大きくするとともに重量を増し持ち運びに不便である。また支持手段を保持する手段を車椅子に別途固定設置する必要があり車椅子用テーブルの必要のない時は邪魔な部品となる。本発明は前述の欠点を解消しようとするものである。
【課題を解決するための手段】
【０００５】
本発明は板状の載置部とこの載置部の一端に固着され車椅子のヒジ掛け部を把持する柄掴み手段と、車椅子のサイドガード板に支承される板掴み手段を備えた下支え部を設け、この下支え部を上記載置部の他端に対し接続したものである。
【０００６】
また、下支え部に、この下支え部と載置部との接続点から板掴み手段までの長さを調節できる調整手段を設けたものである。
【０００７】
また、載置部の面積を拡張できるように載置部にスライド式、あるいは折り畳み式の補助載置部を設けたものである。
【発明の効果】
【０００８】
本発明の車椅子用テーブルは、載置部の他端に車椅子のサイドガード板に支承される板掴み手段を備えた下支え部を設け、この下支え部を上記載置部の他端に対し接続するため、載置部と下支え部を折りたたみしやすく、また車椅子のサイドガードを利用して車椅子テーブルを支持するため車椅子用テーブルを保持する手段を車椅子に別途固定する必要もない利点がある。
【発明を実施するための最良の形態】
【０００９】
載置部に強固な支持手段を設置することなくまたその支持手段を保持する手段を車椅子に別途固定する必要もない、持ち運び便利で、またなにも車椅子に前段階での設置がいらない車椅子用テーブルを実現した。
【実施例１】
【００１０】
以下、添付図面に従って一実施例である車椅子用テーブルを説明する。図１において１はプラスティックスあるいは木材等の素材で形成された物体を置くことが出来る載置部である。２はこの載置部の一端に固着され車椅子のヒジ掛け部を把持する柄掴み手段。３は載置部の他端に接続された下支え部。ここでは蝶板で接続を行っている。４は下支え部に備えられた車椅子のサイドガード板を支承する板掴み手段。５は板掴み手段の長さを調節するための調節ねじである。図２において６は車椅子のヒジ掛け部。７は車椅子のサイドガードの断面図である。
【００１１】
図２において本発明の車椅子用テーブルが車椅子に把持され、テーブルとしての機能を発揮する形態を説明する。図２は断面図である。柄掴み手段２（ここでは面ファスナーを用いている）をヒジ掛け部６の下方にくぐらせて載置部１の上面に設けられた面ファスナー凹面２ａに接地させて載置部１をヒジ掛け部６に固定する。
【００１２】
同時に下支え部３に備えられた板掴み手段４をサイドガード７に支承されるように分かれた先端４ａをサイドガード７にはめ込む。
【００１３】
図２の車椅子用テーブルと車椅子の設置作業の後の形態が図３である。図３のように柄掴み手段２とヒジ掛け部６、および板掴み手段の先端４ａと、載置部１と下支え部３の接続点１ａの間がたわみなく緊迫した状態に設置され、載置部１が水平に保たれたとする。そうすると物体Ａを載置部１に載せたとき、その重量のベクトルＡ’は矢印Ｂのようなベクトルに変換される。その方向はヒジ掛け部６、サイドガード７に向かい、重量Ａ’を支えることとなり物体Ａは載置部１によって支持され載置部１はテーブルとしての役目を果たすことになる。
【００１４】
図４は図２、図３をわかりやすくするための全体像を示した斜視図である。
【００１５】
図５は様々な車椅子のヒジ掛け部６とサイドガード７を示す図である。車椅子によってはヒジ掛け部６とサイドガード７の先端までの間隔はＣ、Ｄのように一定せず様々である。しかし図３で示したように物体Ａを支持するためには接続点１ａから板掴み手段４の先端４ａまでがたわみなく緊迫し載置部１が水平に保たれる必要がある。
【００１６】
上記目的を達するために図６のようにする事が出来る。図６は本発明の裏面図である。下支え部３に細長い穴３ａをうがち、コの字型に接続された板掴み手段４の根本の４ｂを調節ねじ５で締め付け下支え部３に固定する方法である。板掴み手段４は両矢印Ｅのように移動出来るため接続点１ａから先端４ａまでの長さを間隔Ｃ、Ｄにあわせて調節できる。
【００１７】
図７は図６の断面図である。ねじ５とナット５ａで柄掴み手段４の４ａ部分をしめつけ下支え部分３に固定する。
【００１８】
図８は本発明の載置部１の面積を拡張しより多くの物が置けるようにした例である。スライド式の補助載置部１Ａ、折り畳み式の補助載置部１Ｂのようにすることができる。
【産業上の利用可能性】
【００１９】
以上説明したように本発明の車椅子用テーブルは、載置部１（テーブル）を車椅子に設置するのに強固な垂直に設置することが必要な支持手段を載置部１に設ける必要がなく図９のように折り畳むことができる。また図１０のように車椅子の外側に向けて載置部１を設置する事も可能なので身体の大きな利用者８なども利用しやすい構造になっている。
【図面の簡単な説明】
【００２０】
【図１】本発明の車椅子用テーブルを示す斜視図である。
【図２】本発明の車椅子用テーブルを車椅子に設置する方法を説明した断面図である。
【図３】本発明の車椅子用テーブルが物体Ａを載置部１に載せたときの力のかかる方向を指し示した断面図の説明図である。
【図４】図２、図３の状態をわかりやすく説明するための全体の斜視図である。
【図５】車椅子の種類によってヒジ掛け部６とサイドガード７までの間の距離が違うことを示した斜視図である。
【図６】本発明の車椅子用テーブルの裏面図である。
【図７】図６の断面図である。
【図８】補助載置部の形態を示した斜視図である。
【図９】本発明の車椅子用テーブルを折り畳んだ時の斜視図である。
【図１０】本発明の車椅子用テーブルを車椅子の外側に設置した斜視図である。
【符号の説明】
【００２１】
１  載置部
２    柄掴み手段
３    下支え部
４    板掴み手段
５    調節ねじ
６  ヒジ掛け部
７  サイドガード
８  利用者（体格がよい）
Ａ  物体
Ｂ  力のベクトル
Ｃ、Ｄヒジ掛け部６とサイドガード７の間の距離寸法
Ｅ  板掴み手段の移動方向
１Ａ、１Ｂ  補助載置部
【図１】
2005304743.tif 000003
【図２】
2005304743.tif 000004
【図３】
2005304743.tif 000005
【図４】
2005304743.tif 000006
【図５】
2005304743.tif 000007
【図６】
2005304743.tif 000008
【図７】
2005304743.tif 000009
【図８】
2005304743.tif 000010
【図９】
2005304743.tif 000011
【図１０】
2005304743.tif 000012